(57)【要約】【課題】  その高さが天井まで届かない間仕切り装置において強固なフレームを構成するビームと柱の連結構造の提供。【解決手段】  四角形断面の柱側面には溝７を長手方向に設けると共に側面に開口を有し、開口の両側には係止片８，８を形成し、この溝７に第１連結部材９を嵌めて上記係止片８，８に係止し、第２連結部材１０はビーム先端に固定され、そして第２連結部材１０の内側からボルト２４，２４を介して上記第１連結部材９を締め付けることで第２連結部材１０の表面２１を柱側面に圧着・固定し、そして第２連結部材１０のネジ穴に螺合して表面から突出した複数本のネジ１５，１５を第１連結部材９の穴１２，１２に嵌め、さらに第２連結部材１０の上端と下端には切欠き部１８，１９を形成している。【選択図】    図８
2011006973.tif 000002
【特許請求の範囲】
【請求項１】
その高さが天井まで届かない間仕切り装置の骨組みと成るフレームは柱とビームで構成し、該ビームが柱の上端に連結される連結構造において、四角形断面の柱側面には溝を長手方向に設けると共に側面に開口を有し、開口の両側には係止片を形成し、この溝に第１連結部材を嵌めて上記係止片に係止し、第２連結部材はビーム先端に固定され、そして第２連結部材の内側からボルトを介して上記第１連結部材を締め付けることで第２連結部材の表面を柱側面に圧着・固定し、そして第２連結部材のネジ穴に螺合して表面から突出した複数本のネジを第１連結部材の穴に嵌め、さらに第２連結部材の上端と下端には切欠き部を形成したことを特徴とする間仕切り装置のフレームを構成する柱とビームの連結構造。
【請求項２】
上記第１連結部材の上端部にネジを螺合し、その先端を背面側へ突出した請求項１記載の間仕切り装置のフレームを構成する柱とビームの連結構造。
【請求項３】
垂直に起立した複数本の柱の上端にビームを連結してフレームを構成し、該フレームに間仕切りパネル、移動式パネル、又はボードを取付けた間仕切り装置において、該間仕切り装置は天井まで届かない高さとし、上記フレームを構成する天井の形状が四角形になるようにその各コーナーには柱を起立し、四角形断面の柱側面には溝を長手方向に設けると共に側面に開口を有し、開口の両側には係止片を形成し、この溝に第１連結部材を嵌めて上記係止片に係止し、第２連結部材はビーム先端に固定され、そして第２連結部材の内側からボルトを介して上記第１連結部材を締め付けることで第２連結部材の表面を柱側面に圧着・固定し、そして第２連結部材のネジ穴に螺合して表面から突出した複数本のネジを第１連結部材の穴に嵌め、さらに第２連結部材の上端と下端には切欠き部を形成して構成される柱とビームの連結構造を備えたことを特徴とする間仕切り装置。
【請求項４】
垂直に起立した複数本の柱の上端にビームを連結してフレームを構成し、該フレームに間仕切りパネル、移動式パネル、又はボードを取付けて建物の壁面と組み合わせることで所定の空間を形成した間仕切り装置において、該間仕切り装置は天井まで届かない高さとし、四角形断面の柱側面には溝を長手方向に設けると共に側面に開口を有し、開口の両側には係止片を形成し、この溝に第１連結部材を嵌めて上記係止片に係止し、第２連結部材はビーム先端に固定され、そして第２連結部材の内側からボルトを介して上記第１連結部材を締め付けることで第２連結部材の表面を柱側面に圧着・固定し、そして第２連結部材のネジ穴に螺合して表面から突出した複数本のネジを第１連結部材の穴に嵌め、さらに第２連結部材の上端と下端には切欠き部を形成して構成される柱とビームの連結構造を備えたことを特徴とする間仕切り装置。
【請求項５】
上記フレーム天井を一直線とし、建物の壁面に面して柱を起立した請求項４記載の間仕切り装置。
【請求項６】
上記フレーム天井をＬ形とし、建物の壁面に面して柱を起立し、Ｌ形のコーナーにも別な柱を起立した請求項４記載の間仕切り装置。
【請求項７】
上記フレーム天井Ｔ形とし、建物の壁面に面して３本の柱を起立し、対向する壁面の間にも別な柱を起立した請求項４記載の間仕切り装置。
【発明の詳細な説明】
【技術分野】
【０００１】
本発明はオフィスルーム等の比較的広い空間内に設置され、天井までは届かないが背丈の高い間仕切り装置を対象とし、該間仕切り装置のフレームと成る柱とビームの連結構造に関するものである。
【背景技術】
【０００２】
建物の大きな空間を仕切るものとして間仕切り装置が多用されている。間仕切り装置にも色々なタイプがあり、床面から天井まで届くようにパネルを据え付けて構成する場合、又天井との間に空間を残してパネルを据え付けて構成する場合、更には私的な小さな空間を仕切るためのローパーティションと称される間仕切りを構成する場合などが知られている。
【０００３】
本発明は天井までは届かないが背丈が高く、しかしガタ付くことがないように安定して起立するように、骨組みとなるフレームは柱とビームが強固に連結されることが必要となる。ところで、これら各間仕切り装置は一般にパネルを配置することで周囲と隔離され、隣との間にはパネルを介した壁が形成される。そして各柱の間にはパネルを据付けた間仕切り装置であれば、該パネルによって装置全体の強度・剛性は高くなり安定するが、ビームに移動式パネルを吊設したり、又は着脱自在な状態でボードを取付ける間仕切り装置のような構造とする場合、間仕切り装置全体の剛さが低下してしまう。従って、揺れ動いたりして安定性が損なわれる。
【０００４】
特開２００５−１８８１６７号に係る「共有空間を仕切る構造」は、垂直に起立した複数のポール上端部にビームを連結して構成した構造である。
該共有空間を仕切る構造では、ポールの上端及び下端は天井及び床面に取着したキャップに嵌って連結される。そしてポールは筒型断面を成して側面には溝を有し、該溝の両内側面には対を成して補助溝を形成し、該補助溝に嵌合部材を嵌め、ポール側面に配置したブラケットから挿入したネジを嵌合部材のネジ穴に螺合して締付けることで溝の入口付近の挟持部を挟み込み、該ブラケットには上記ビームを係合して支持している。
【０００５】
ところで、上記ポール（柱）は天井まで届いた長さと成っている為に、該ポール自体は床面と天井に取着したキャップに嵌ることで転倒することはなく、その為にビームとの連結強度はそれ程要求されない。しかし、上記ポールが天井まで達すことなく、隣り合うポール上端には水平ビームが掛架して連結されたフレーム構造とする場合には、該ポールとビームの強固な連結構造が必要となる。
【０００６】
間仕切り装置を据付ける場合、一般にはポール（柱）を天井まで延ばして骨組みとなるフレームが構成され、該フレームにパネルが取付けられる。この場合、床面には床レールを取付け、天井には天井レールが取付けられる。その為に、床面や天井を一部加工しなくてはならず、間仕切り装置を撤去すると床面及び天井には取付け跡が残る為に、これら傷跡を補修しなくてはならない。
【０００７】
理想的にはローパーティションのように床面に設置するだけの間仕切り装置であれば、床面や天井を殆どキズ付けることはないが、天井付近まで届くような高さとなれば、従来のローパーティションのような構造では安定性が損なわれる。特に、パネルを完全に固定するのではなく、移動式パネルとしたり、着脱自在なボードの取付け構造とすれば、柱とビームで構成されるフレームの強度・剛性が要求される。又、両柱間にパネルを取付けることなくオープン状態とした場合も同様である。
【特許文献１】特開２００５−１８８１６７号に係る「共有空間を仕切る構造」
【発明の開示】
【発明が解決しようとする課題】
【０００８】
このように、天井までは届かないが背丈の高い間仕切り装置には上記のごとき問題がある。本発明が解決しようとする課題はこれら問題点であり、柱とビームの連結強度を高くして強固なフレーム構造とし、又該フレームの組み立て作業の簡略化をも考慮した間仕切り装置における柱とビームの連結構造、並びに該連結構造にて構成したフレームを有す間仕切り装置を提供する。
【課題を解決するための手段】
【０００９】
本発明が対象とする間仕切り装置は背丈は高いがその上端は天井までは届かない高さとしている。そこで、柱とビーム（横桟）にてフレームを構成し、該ビームは柱の上端にネジ止めにて連結している。柱の下端にはアジャスターが取付けられてその高さが調整される。ここで、該フレームにはパネルを取付けて壁面を構成する場合、移動式パネルをビームに設けた上レールに吊設する場合、又はボードを着脱自在に取り付ける場合、さらにはパネルを取付けることなくオープン状態とするなど、その形態は色々あるが、本発明は両柱とビームにて区画される空間の形態は問わないことにする。
【００１０】
ところで、柱の側面には溝が長手方向に設けられ、この溝には第１連結部材が嵌り、ビーム先端には第２連結部材を取着している。ここで、上記溝はその開口両側に係止片が設けられて第１連結部材は該係止片に係止して開口から外れないようにしている。そして、第２連結部材側から第１連結部材をボルト締めすることで第２連結部材は柱側面に固定され、柱とビームは連結される。
【００１１】
上記第１連結部材の上端部には落下防止ピンが突出し、又第１連結部材は第２連結部材側から延びるボルトによって仮止めした状態で柱の溝に上端から嵌められるが、この際に第１連結部材を位置決めする為のガイドピンを介して第２連結部材と連結している。そして、第２連結部材の上端及び下端には切欠き部が形成されている。
【発明の効果】
【００１２】
本発明が対象とする間仕切り装置のフレームは柱の上端にビームを連結して構成しているが、柱に設けた溝に嵌る第１連結部材とビーム先端に固定された第２連結部材をボルト締めした強固な連結構造であり、フレームの強度・剛性は高くて安定したものとなる。従って、該フレームに移動式パネルを吊設することが出来、又ボードを掛け止めすることもできる。
【００１３】
該フレームは床面にアジャスターを介して適度な高さに配置され、天井まで届かないことから、製造コストは安くて据付け作業は簡単である。そして据付けに際して床面や天井をキズ付けることはなく、該間仕切り装置を撤去した際にキズ跡が残らない点も効果的である。
【００１４】
一方、第１連結部材は第２連結部材に仮止めされ、落下防止ピンが第１連結部材の上端部に突出していることから、ビームを柱に連結する作業がし易い。一方、第２連結部材の上端に切欠き部を形成していることで、ビームに沿って設けた電気配線は該切欠き部を通って柱の溝へ導くことが出来、下端に切欠き部を設けることでビーム下側を塞ぐカバーを取付けることが出来る。
【図面の簡単な説明】
【００１５】
【図１】本発明に係る間仕切り装置の外観斜視図。
【図２】本発明に係る間仕切り装置で、（ａ）は平面図、（ｂ）は正面図。
【図３】Ｌ形天井を有すフレームを備えた間仕切り装置の平面図。
【図４】Ｔ形天井を有すフレームを備えた間仕切り装置の平面図。
【図５】柱とビームの連結構造を示す横断面図。
【図６】柱の溝に嵌る第１連結部材の具体例。
【図７】ビーム先端に固定される第２連結部材の具体例。
【図８】柱にビームを連結する工程。
【図９】ビームの縦断面図。
【発明を実施するための形態】
【００１６】
図１は本発明に係る柱とビームの連結構造を備えた間仕切り装置の外観を示す実施例であり、同図の１は柱、２はビーム、３は間仕切りパネルを夫々表している。同図に示す間仕切り装置はコ型を成し、３方に間仕切りパネル３，３・・・が配列された形態をしている。ここで間仕切りパネル３の具体的な構造は限定せず、一般的には不燃ボードやハニカムコア等から成る充填材の片面もしくは両面に金属製の表面材を貼着した構造である。
【００１７】
そして、所定の距離を隔てて起立した柱１，１の間には４枚の間仕切りパネル３，３・・・は配列され、各間仕切りパネル３，３・・・間にはスタッドが介在して連結し、下端はアジャスターにて適当な高さに支持されている。又、間仕切りパネル３，３・・・の上端には上記ビーム２が載置され、間仕切りパネル３，３・・の上端はビーム下側凹溝に嵌っている。従って、間仕切りパネル３，３・・・は安定し、その背丈が高くても、グラ付いたり転倒することはない。
【００１８】
同図に示す間仕切り装置のコ型形態は１具体例に過ぎないが、Ｌ型であっても、又口型にして出入口となるドアや引戸などを設けることも可能である。ところで、同図に示すように間仕切りパネル３，３・・・を取付けて、柱１及びビーム２と連結した間仕切り装置を構成する場合であれば、その高さが天井まで届かなくても全体構造としての強度並びに剛性は比較的高いものとなるが、間仕切りパネル３を取付けない場合、例えばビーム２に移動式パネルを吊設するような場合でも本発明ではフレームが安定するように柱１とビーム３は強固な連結構造としている。
【００１９】
ところで、同図に示す間仕切り装置は大きな空間に独立して設置されるタイプであるが、建物の壁面を一部兼用した間仕切り装置とすることも可能である。図２は両側と奥側を建物の壁面４として正面にフレームを設置した場合であり、柱１，１は壁面４、４に面して起立し、そして両柱１，１の上端にビーム２が水平に掛架して連結している。ここで、ビーム２は天井との間に空間を残しており、正面には移動式パネル５，５・・・がビーム２に設けた上レールに吊設されている。
【００２０】
図３は３本の柱１ａ，１ｂ，１ｃを起立してＬ形フレームを構成している間仕切り装置で、壁面４，４とで小空間を形成している。この場合は片面に固定式間仕切りパネル３，３・・・を取付ける場合もあるが、移動式パネル５，５・・又はボードを着脱自在に取付けることも出来る。又、図４は前記図２の間仕切り空間の中央に別な仕切りを設けた間仕切り装置を示している。このように、本発明の間仕切り装置は四方をパネルで囲むのではなく、建物の壁面とで間仕切り空間を形成することが出来る。このように柱１，１・・・を起立し、各柱１，１・・・の上端にビーム２，２・・・を掛架してフレームが構成される。
【００２１】
このように本発明の間仕切り装置の形態は色々あり、図１、図２、図３、図４に示す場合に限定するものではないが、柱１の上端にビーム２を強固に連結してフレームを構成し、このフレームにパネルやボードが取付けられる点は共通している。そして、柱１，１・・・の下端にはアジャスターが取付けられて、フレーム全体の高さ調整が行われる。
【００２２】
ビーム２は柱１の側面に当接して連結されるが、ネジ止めにて固定される。すなわち、該ビーム２はアルミの押出し材で、連続した貫通穴を形成している為に、先端に第２連結部材１０を前以て取着し、この第２連結部材１０を柱１の側面にネジ止めすることが出来る。勿論、柱側にも別の第１連結部材９を取付けて互いにネジ止めされる。
【００２３】
図５は柱１とビーム２の連結構造の横断面を示す具体例である。該柱１は側面にカバー６，６・・・を取付け、該カバー６，６・・は取外しすることが出来る。カバー６を取外すことで溝７が柱１に沿って形成され、該溝７は柱１の側面に開口すると共に両側には小さい係止片８，８を有している。そして、この溝７に上記第１連結部材９が嵌合し、両係止片８，８に係止することで側面の開口から第１連結部材９が外れることはない。一方、ビーム２の先端には第２連結部材１０が固定されている。
【００２４】
図６は上記第１連結部材９を示す具体例である。第１連結部材９は同図に示すように、細長い長方形の板状体であって、２個のネジ穴１１，１１が斜めに設けられ、これらネジ穴１１，１１の間に２個の穴１２，１２を貫通して設けている。又、上端にはネジ１３を螺合し、その先端を僅かに背面側へ突出している。そして、第１連結部材９の両側には柱１の溝両側に設けた係止片８，８が係止することが出来る切欠き１４，１４を全長にわたって形成している。
【００２５】
図７はビーム先端に固定される第２連結部材１０を示す具体例である。この第２連結部材１０も細長い長方形の板状体を成し、中央には２本のネジ１５，１５を螺合し、その先端を表面（柱側）へ突出している。そして、上端部と下端部にはボルトが挿入される段付き穴１６，１６を傾斜して設けている。又、この第２連結部材１０をビーム２の先端にネジ止めする為に、ネジが挿入される穴１７，１７・・・が上記段付き穴１６，１６とは反対側に４ヶ所に設けている。一方、第２連結部材１０の上端には切欠き部１８が設けられ、下端には別の切欠き部１９を設けている。
【００２６】
図８はビーム２を柱１の側面に連結する工程を示す具体例である。
（ａ）はビーム２の先端に第２連結部材１０をネジ止めした場合である。ネジ止め用のネジ２０，２０・・・は第２連結部材１０に設けた穴１７，１７・・に挿入されてビーム２のネジ穴に螺合して固定される。ここで、第２連結部材１０の内側から螺合したネジ１５，１５の先端が表面２１から延びている。
【００２７】
（ｂ）第１連結部材９を第２連結部材１０の表面から突出した上記２本のネジ１５，１５に係止した場合である。又、第１連結部材９の上端背面２２にはネジ１３が突出している。このように、ネジ１５，１５は穴１２，１２に嵌って第１連結部材９が支持され、この状態で柱１に設けた溝７に第１連結部材９が嵌入する。前記図５に横断面を示しているように、溝７は第１連結部材９がガタ付くことなく嵌入出来る大きさと成っている。そこで、第２連結部材１０から突出した２本のネジ１５，１５にて支持することで、第１連結部材９の向きを正しく定めて溝７に嵌入し易くなる。そして、一旦、溝７に嵌った第１連結部材９は仮にネジ１５，１５から外れても上端部に突出したネジ１３が柱１のリブ２３に係止して落下することはない。ここで、ボルト２４，２４を段付き穴１６，１６に挿入して第１連結部材９のネジ穴１１，１１に一部螺合した仮止め状態として、柱１の溝７に嵌入することも出来る。
【００２８】
（ｃ）このように、溝７に嵌った第１連結部材９は第２連結部材１０の背面側から斜めに挿入したボルト２４，２４によって絞め付けられる。すなわち、ボルト２４，２４は第１連結部材９に設けたネジ穴１１，１１に螺合して絞め付けられ、その結果、第２連結部材１０の表面は柱１の側面に当接すると共に圧着して固定される。そして、ボルト２４，２４は第１連結部材９のネジ穴１１，１１を貫通し、柱１のリブ２３に設けた穴をも貫通している。
【００２９】
このように、ビーム２は柱１の側面に強固に連結され、フレームが構成される。そして、ビーム２の上側凹溝２５に電気配線が収容されることもあり、この配線は第２連結部材１０の上端に設けた切欠き部１８を通って柱１の溝７に納まることが出来る。勿論、第１連結部材９にて切欠き部１８が塞がれないように短く成っている。一方、ビーム２にパネルを取付けない場合には下側凹溝２６には図９にビームの縦断面を示すようにカバー２７が取付けられる。第２連結部材１０の下端の切欠き部１９は、このカバー２７を取付ける為のものである。
【符号の説明】
【００３０】
１  柱
２  ビーム
３  間仕切りパネル
４  壁面
５  移動式パネル
６  カバー
７  溝
８  係止片
９  第１連結部材
10  第２連結部材
11  ネジ穴
12  穴
13  ネジ
14  切欠き
15  ネジ
16  段付き穴
17  穴
18  切欠き部
19  切欠き部
20  ネジ
21  表面
22  背面
23  リブ
24  ボルト
25  凹溝
26  凹溝
27  カバー
【図１】
2011006973.tif 000003
【図２】
2011006973.tif 000004
【図３】
2011006973.tif 000005
【図４】
2011006973.tif 000006
【図５】
2011006973.tif 000007
【図６】
2011006973.tif 000008
【図７】
2011006973.tif 000009
【図８】
2011006973.tif 000010
【図９】
2011006973.tif 000011